(57)【要約】【課題】型枠内に幅止め部材を架け渡さない場合でも、埋め戻し土からの土圧に耐えることができることができる基礎の施工方法を提供する。【解決手段】地盤を掘溝して矩形区画の各辺の位置に根切り溝を形成し、形成した根切り溝内に型枠を設置し、設置した型枠の周囲を埋め戻す、基礎の施工方法である。型枠を設置した後、型枠の互いに対向する辺間に引張部材が架け渡される。【選択図】図１
2015038265.tif 000002
【特許請求の範囲】
【請求項１】
地盤を掘溝して矩形区画の各辺の位置に根切り溝を形成し、該形成した根切り溝内に型枠を設置し、該設置した型枠の周囲を埋め戻す、基礎の施工方法であって、前記型枠を設置した後、前記型枠の互いに対向する辺間に引張部材を架け渡すことを特徴とする基礎の施工方法。
【請求項２】
施工区域の一区画の地盤を掘溝して矩形区画の各辺の位置に根切り溝を形成し、該形成した根切り溝内に型枠を設置し、次いで前記施工区域の他の区画の地盤を掘溝して矩形区画の各辺の位置に根切り溝を形成し、該他の区画における掘溝の際の堀削土を先の区画において設置した型枠の周囲に埋め戻し、該他の区画において形成した根切り溝内に型枠を設置する、基礎の施工方法であって、前記型枠を設置した後、前記型枠の互いに対向する辺間に引張部材を架け渡すことを特徴とする基礎の施工方法。
【請求項３】
前記引張部材を架け渡した後、該引張部材の長さ調整を行うことを特徴とする請求項１又は２に記載の基礎の施工方法。
【請求項４】
前記引張部材の架け渡しを、前記型枠の周囲の埋め戻しの前に行うことを特徴とする請求項１から３のいずれか１項に記載の基礎の施工方法。
【請求項５】
前記引張部材の架け渡しを、前記型枠の周囲の埋め戻し中又は埋め戻しの後に行うことを特徴とする請求項１から３のいずれか１項に記載の基礎の施工方法。
【請求項６】
前記設置した型枠の内部下方に補強部材を設置することを特徴とする請求項１から５のいずれか１項に記載の基礎の施工方法。
【請求項７】
前記設置した型枠の底部にコンクリートを打設し、該打設したコンクリート上に配筋を行い、該配筋した後の型枠内にコンクリートを打設することを特徴とする請求項１から６のいずれか１項に記載の基礎の施工方法。
【発明の詳細な説明】
【技術分野】
【０００１】
本発明は建造物の基礎工事における施工方法に関する。
【背景技術】
【０００２】
基礎工事においては、地盤を掘削して根切り溝を形成し、この根切り溝内に型枠を設置し、この型枠の周囲を、掘削した掘削土で埋め戻すことによって、掘削残土を減らすことができる埋戻し工法が従来からよく知られており、施工現場において多く実施されている。
【０００３】
この種の埋戻し工法には、掘削残土を減らすことができるという利点はあるものの、根切り溝内に型枠を設置した後に型枠周囲を掘削土で埋め戻すため、型枠には、基礎を構築するまでの間、埋め戻し土からの土圧に耐えられる構造が求められる。
【０００４】
埋め戻し土からの土圧に耐えられるようにするための型枠として、特許文献１には根切り溝内に配置され一対の当て板が嵌合する嵌合部を備える当て板支持部材と、立設された当て板の上端間に架け渡される巾止め部材とによって、型枠の巾寸法を保持する型枠が開示さている。
【０００５】
特許文献２には、捨てコンクリート上に固定した下部止め部材の凹溝に、波形の溝が上下方向にある波形型板の下端を嵌合し、この波形型板の上端に上部止め部材の凹溝を嵌合し、幅止め部材にて上部止め部材間を所定の間隔に保持させる型枠が開示されている。
【先行技術文献】
【特許文献】
【０００６】
【特許文献１】実用新案登録第３１３２６３２号公報
【特許文献２】特許第４１４４９７４号公報
【発明の開示】
【発明が解決しようとする課題】
【０００７】
しかしながら、特許文献１及び２に開示されている型枠は、いずれも、埋め戻し土からの土圧に耐える構造として、型枠内の上部又は中部に幅止め部材が架け渡されているため、型枠内の配筋を行う際にこの幅止め部材が邪魔になってしまう。即ち、このような幅止め部材は、型枠の内部で鉄筋を組み込んで配筋する場合にその組み込み作業の邪魔になることはもちろんのこと、工期短縮のために外部で鉄筋を組んでおき、その組まれた鉄筋を型枠内に移動して設置する場合にも障害となる。このような理由から、型枠内の上部又は中部に設置された幅止め部材は、配筋作業前に撤去することが通常は行われており、この撤去作業は多大な手間及び時間を要するため、基礎工事における大きな支障となっていた。
【０００８】
従って、本発明の目的は、型枠内に幅止め部材を架け渡さない場合でも、埋め戻し土からの土圧に耐えることができる基礎の施工方法を提供することにある。
【課題を解決するための手段】
【０００９】
本発明によれば、地盤を掘溝して矩形区画の各辺の位置に根切り溝を形成し、形成した根切り溝内に型枠を設置し、設置した型枠の周囲を埋め戻す、基礎の施工方法が提供される。特に本発明によれば、型枠を設置した後、型枠の互いに対向する辺間に引張部材が架け渡される。
【００１０】
さらに、本発明によれば、施工区域の一区画の地盤を掘溝して矩形区画の各辺の位置に根切り溝を形成し、形成した根切り溝内に型枠を設置し、次いで施工区域の他の区画の地盤を掘溝して矩形区画の各辺の位置に根切り溝を形成し、他の区画における掘溝の際の堀削土を先の区画において設置した型枠の周囲に埋め戻し、他の区画において形成した根切り溝内に型枠を設置する、基礎の施工方法が提供される。特に本発明によれば、型枠を設置した後、型枠の互いに対向する辺間に引張部材が架け渡される。
【００１１】
引張部材を架け渡した後、引張部材の長さ調整を行うことが好ましい。
【００１２】
引張部材の架け渡しを、型枠の周囲の埋め戻しの前に行うことも好ましい。
【００１３】
引張部材の架け渡しを、型枠の周囲の埋め戻し中又は埋め戻しの後に行うことも好ましい。
【００１４】
設置した型枠の内部下方に補強部材を設置することも好ましい。
【００１５】
設置した型枠の底部にコンクリートを打設し、打設したコンクリート上に配筋を行い、配筋した後の型枠内にコンクリートを打設することも好ましい。
【発明の効果】
【００１６】
本発明によれば、型枠の互いに対向する辺間に架け渡された引張部材によって型枠の耐力が補強されるため、たとえ型枠内に幅止め部材を架け渡さない場合であっても、埋め戻した地山からの土圧によって型枠が撓むことを防止できる。幅止め部材を型枠の上部又は中部に架け渡す必要がないため、型枠内に配筋する際、この幅止め部材に阻害されることがない。従って、配筋作業前にこの種の幅止め部材を撤去する作業が不要であるため、基礎工事の作業性が大幅に改善される。
【図面の簡単な説明】
【００１７】
【図１】本発明の基礎の施工方法の一実施形態における各工程を示すフローチャートである。
【図２】図１の実施形態における施工区画を示す平面図である。
【図３】図１の実施形態における根切り工程後の状態を示しており、（Ａ）は根切り底に基礎地盤を形成した状態図、（Ｂ）は基礎地盤上にフーチング型枠を設置した状態図、（Ｃ）はフーチング型枠間に梁型枠を渡した状態図である。
【図４】図１の実施形態における型枠の内部の底部と外部の上部に補強部材を設置した状態における補強部材の設置方法を示す斜視図である。
【図５】図１の実施形態における型枠設置工程後、近隣の区画の根切り工程で生じた掘削土を埋戻し工程で利用する状態を示しており、（Ａ）は近隣の区画を根切りした状態図、（Ｂ）は近隣の区画の根切り工程によって生じた掘削土を埋戻し工程に利用する状態図である。
【図６】図１の実施形態における引張工程後の状態を示しており、（Ａ）は平面図、（Ｂ）は図６（Ａ）の中央横断面図である。
【図７】図１の実施形態における打設工程後の状態を示しており、（Ａ）は平面図、（Ｂ）は図７（Ａ）の中央横断面図である。
【図８】図１の実施形態における型枠の上部に補強部材が架け渡されている状態を示す斜視図である。
【図９】本発明の基礎の施工方法の他の実施形態における各工程を示すフローチャートである。
【図１０】図１の実施形態の変更態様として、フーチング型枠内に支持杭が設置されている場合における補強部材の設置方法を示す斜視図である。
【発明を実施するための最良の形態】
【００１８】
本発明の基礎の施工方法の一実施形態を図１〜図８を用いて説明する。なお、本実施形態は施工区域を複数の矩形区画に分けて施工する形態を示している。
【００１９】
まず、図１に示すように、図２に示す施工区域の一区画である区画Ａ（Ａ区）の地盤面１を所定の深さまで掘削し、深さを掘り揃えて平坦な根切り底２ａを四隅に形成し、根切り底２ａ間を渡る梁溝２１によって矩形区画の各辺の位置に根切り溝を形成する（根切り工程Ｓ１）。さらに、図３（Ａ）に示すように、この根切り底２ａに砕石３を敷き詰め、転圧機を利用して締固め、基礎地盤を形成し、後述するフーチング型枠５ａ（図３（Ｂ）及び（Ｃ）参照）の設置深さの基準となる位置に平板４（図４参照）を設置する。ここで掘削された掘削土６ａは、施工区域外に保留する。また、根切り工程Ｓ１中にフーチング型枠５ａを地上で組み立てる地組工程を挟むと、次の型枠設置工程Ｓ２においては、組み立てられたフーチング型枠５ａを設置し、梁型枠５ｂ（図３（Ｃ）参照）と連結するだけで良いため、工期の短縮化を図ることができる。
【００２０】
根切り底２ａは、一般的には、地盤面１をバックホウにより根切りして形成される。地盤面１と根切り底２ａとの勾配は、掘削地盤の安定性を考慮して安全勾配を６０°から７５°の範囲に設定している。なお、安全勾配については、地盤面１の地質状況及び根切り深さによって変わるものである。本実施形態においては、地盤面１は、岩盤又は硬質砂れき層等であり、根切り深さ１６００ｍｍで構成されている。
【００２１】
図４に示す平板４は、矩形のコンクリート平板であり、次の型枠設置工程Ｓ２において、フーチング型枠５ａを安定して設置するために予め平坦に転圧された砕石３上に設置される。そのため、平板４を、フーチング型枠５ａが安定して設置する機能を有する他の部材、例えば金属平板等、で代用しても良い。
【００２２】
次いで、区画Ａに対して例えば、地組工程で組まれたフーチング型枠５ａをクレーン等で吊り上げ、図３（Ｂ）に示すようにコンクリート平板４の上に据え付ける。さらに、フーチング型枠５ａの高さが所定通りの高さであるかどうかを確認し、図３（Ｃ）に示すようにフーチング型枠５ａ間を梁型枠５ｂによって連結し、四隅に設置されたフーチング型枠５ａとこれらを結ぶ梁型枠５ｂとにより、矩形に組まれた型枠５を形成する（型枠設置工程Ｓ２）。事前に地組工程を踏まえていない場合には根切り底２ａ内で型枠５を組み立てることになる。
【００２３】
この型枠設置工程Ｓ２において、さらに、フーチング型枠５ａ及び梁型枠５ｂを補強する補強部材８を設ける。この補強部材８は、後に実施される配筋工程Ｓ６の作業を阻害しない位置に設置する。即ち、図４に示すように、梁型枠５ｂの内部の底部にＵ字状の幅止め部材８ａを設け、フーチング型枠５ａの内部隅部の底部に火打ち部材８ｂを設け、フーチング型枠５ａ及び梁型枠５ｂ間の外部隅部の上部に火打ち部材８ｃを設けてこれら型枠５を補強する。このような位置に幅止め部材８ａ、火打ち部材８ｂ及び火打ち部材８ｃによる補強部材８を設置すれば、これら補強部材８は撤去不要となる。これら補強部材８は、構造計算書に基づいて定められた位置と間隔で設置される。ただし、これら補強部材８は、後述する埋戻し工程Ｓ３において埋め戻される掘削土６の土圧によって、フーチング型枠５ａ及び梁型枠５ｂが撓まなければ、どのような形態のものであっても良い。また、場合によっては、これら補強部材８を設けないこともあり得る。
【００２４】
次いで、図５（Ａ）に示すように、区画Ａの近傍の区画Ｂ（Ｂ区）の地盤面１を区画Ａと同様に所定の深さまで掘削し、深さを掘り揃えて平坦な４つの根切り底２ｂを形成し、根切り底２ｂ間を渡る梁溝２１によって矩形区画の各辺の位置に根切り溝を形成すると共に、この区画Ｂの根切り底２ｂと区画Ａの根切り底２ａとの間を連結する梁溝２１も形成する（根切り工程Ｓ１１）。さらに、根切り底２ｂに砕石３を敷き詰め、転圧機を利用して締固め、基礎地盤を形成し、フーチング型枠５ａの設置深さの基準となる位置に平板４を設置する。ここで掘削された掘削土６ｂは、後述する区画Ａの埋戻し工程Ｓ３において使用されるため、区画Ａの近傍に堆積しておくことが好ましい。また、型枠設置工程Ｓ２と同様に根切り工程Ｓ１１中にフーチング型枠５ａを地上で組み立てる地組工程を挟むと、この区画Ｂにおける次の型枠設置工程Ｓ１２においては、組み立てられたフーチング型枠５ａを設置し、梁型枠５ｂと連結するだけで良いため、工期の短縮化を図ることができる。
【００２５】
次いで、図５（Ｂ）に示すように、区画Ａに設置されたフーチング型枠５ａと梁型枠５ｂの周囲を区画Ｂの掘削時に生じた掘削土６ｂを利用して埋め戻し、埋戻し面７ａを形成する（埋戻し工程Ｓ３）。
【００２６】
次いで、フーチング型枠５ａ及び梁型枠５ｂで矩形に組まれた型枠５により囲まれた区画Ａにおいて、梁型枠５ｂ間に引張部材９を設置する。即ち、図６（Ａ）及び（Ｂ）に示すように、埋戻し面７ａ上において、互いにほぼ平行に伸長して対向する梁型枠５ｂ間に引張部材９を架け渡して引っ張る（引張工程Ｓ４）。これにより、埋戻し工程Ｓ３によって埋め戻された掘削土６ｂによってフーチング型枠５ａ及び梁型枠５ｂが撓まぬように補強する。ここで、引張部材９は鉄棒であり、隣接する梁型枠５ｂ間に架け渡され、その途中に、引張り強さを調整できるようにターンバックル９ａが設けられている。本実施形態においては、互いに対向する梁型枠５ｂ間に、複数の引張部材９を縦横に架け渡らせている。この引張部材９の配置方法は、構造計算書に基づいて定まるものであるため、梁型枠５ｂが撓まぬように配置することができれば他の配置方法であっても良い。例えば、引張部材９を埋戻し面７ａ上ではなく、埋戻し面７ａより下方に設置しても良い。即ち、埋戻し工程Ｓ３の前若しくは途中で引張工程Ｓ４を行って引張部材９を埋設して設置する埋設設置形態、又は埋戻し工程Ｓ３の途中で引張部材９を設けて補強すると共に、埋戻し工程Ｓ３の後に引張部材９で補強する複数層設置形態などであっても良い。
【００２７】
なお、上述した引張工程Ｓ４では、型枠５によって囲まれる内側領域において、埋戻された掘削土６ｂによって生じる土圧に対する補強を行っているが、型枠５の外側領域において、埋戻された掘削土６ｂによって生じる土圧に対する補強は、安定した地盤に杭を刺し、杭と型枠５の外縁とを引張部材で連結して引っ張りあう、又は近隣の構造物と型枠５の外縁とを引張部材で連結して引っ張りあうことで行われる。
【００２８】
次いで、図７（Ａ）及び（Ｂ）に示すように、埋戻し面７ａ及び引張部材９上に砕石を敷設して転圧し、さらに捨てコンクリート１０を打設する（打設工程Ｓ５）。コンクリート１０の硬化後は、初期強度が出るまで養生して埋戻し面７ｂを形成する。この捨てコンクリート１０によって形成された埋戻し面７ｂは、地盤面１と同じ高さに形成されている。なお、捨てコンクリート１０とは、構造計算上のコンクリートには含まれないコンクリートのことである。
【００２９】
一方、区画Ｂについては、根切り工程Ｓ１１後は区画Ａと同時に並行して作業を行うことが可能である。区画Ｂの並びに区画Ａ及び区画Ｂ間の区画の根切り工程Ｓ１１後に行われる区画Ｂの型枠設置工程Ｓ１２、区画Ｃ（Ｃ区）の根切り工程Ｓ２１、区画Ｂの埋戻し工程Ｓ１３、区画Ｂの引張工程Ｓ１４及び区画Ｂの打設工程Ｓ１５は区画Ａの場合と同様である。
【００３０】
区画Ｃについても、区画Ｂの場合と同様に行われる。即ち、根切り工程Ｓ２１後は区画Ｂと同時に並行して作業を行うことが可能である。区画Ｃの並びに区画Ｂ及び区画Ｃ間の区画の根切り工程Ｓ２１後に行われる区画Ｃの型枠設置工程Ｓ２２、区画Ｄ（Ｄ区）の根切り工程Ｓ３１、区画Ｃの埋戻し工程Ｓ２３、区画Ｃの引張工程Ｓ２４及び区画Ｃの打設工程Ｓ２５は区画Ｂの場合と同様である。
【００３１】
区画Ａ及び区画Ｃの近傍の区画Ｄについては、区画Ｂ及び区画Ｃの場合と同様に、根切り工程Ｓ３１後は区画Ｃと同時に並行して作業を行うことが可能である。区画Ｄの、区画Ｄ及び区画Ｃ間の区画の、並びに区画Ｄ及び区画Ａ間の区画の根切り工程Ｓ３１後に行われる区画Ｄの型枠設置工程Ｓ３２、区画Ｄの埋戻し工程Ｓ３３、区画Ｄの引張工程Ｓ３４及び区画Ｄの打設工程Ｓ３５は区画Ｂ及び区画Ｃの場合と同様である。ただし、埋戻し工程Ｓ３３で利用する掘削土については、埋戻し工程Ｓ３、Ｓ１３及びＳ２３で利用しきれなかった掘削土を利用して埋め戻す点でのみ区画Ａ、区画Ｂ及び区画Ｃと異なる。なお、埋戻し土が不足する場合、又は施工区域外に保留した掘削土６ａが利用しやすい位置関係にある場合には、この掘削土６ａを利用しても良い。
【００３２】
本実施形態では、本発明の基礎の施工方法を４つの区画からなる施工区域で説明しているが、形成される構造物の形状によっては、より多くの区画によって形成されことがある。また、４つの区画の施工順序は、上述した順序に限定されるものではない。さらに、ある高さまで埋め戻す掘削土については、地盤面１を掘削した際に生じた掘削土、又は次の区画で生じる掘削土が掘削残土を減少させるために利用される。その際、埋戻しによる型枠５に対する土圧を減少させるために、掘削土に代えて軽量な埋め戻し材料を使用しても良い。
【００３３】
配筋工程Ｓ６は、区画Ａ、区画Ｂ、区画Ｃ及び区画Ｄにおける打設工程Ｓ５、Ｓ１５、Ｓ２５及びＳ３５を終えた後に行われる。具体的な工程としては、既に組まれている鉄筋１１を、クレーン等で吊り上げ、フーチング型枠５ａ及び梁型枠５ｂ内に吊り下げて据え付ける。その際、鉄筋１１は所定のコンクリート１２のかぶり厚さが得られる位置に据え付ける。その後、コンクリート１２を打設することによって構造物の基礎を構築する（打設工程Ｓ７）。
【００３４】
本実施形態によれば、一区画毎に根切り工程と型枠設置工程が行われる一方、隣接又は近接する他の区画で生じた掘削土を先の区画の埋戻し工程で利用するため、一度に大量の掘削土が発生することはない。
【００３５】
また、本実施形態においては、幅止め部材８ａ及び火打ち部材８ｂ等の補強部材８は、配筋工程Ｓ６において鉄筋１１の吊り下げを阻害する位置には設けられていない。このため、予め組まれた鉄筋１１を型枠５内に吊り下げる際に、その吊り下げが阻害されることなく、スムーズに鉄筋１１を据え付けることができる。その結果、型枠５内で鉄筋を組む時間が短縮されるので、全体の工期を短縮することができる。しかも、本実施形態によれば、埋戻し工程Ｓ５の前に、型枠５の内部の底部と外部の上部とに設置された補強部材８によって、型枠５が補強されているので、掘削土の埋戻しにより型枠５が撓むことがない。
【００３６】
なお、型枠設置工程Ｓ２、Ｓ１２、Ｓ２２及びＳ３２の各々において、図８に示すように、型枠５の内部の上部にも補強部材を設置した場合、即ち、梁型枠５ｂの上部に幅止め部材８ｅを設けたり、フーチング型枠５ａの内部隅部の上部に火打ち部材８ｆを設けた場合等には、配筋工程Ｓ６の前に、これら幅止め部材８ｅ及び火打ち部材８ｆを撤去する。ただし、その場合、鉄筋１１の吊り下げを阻害する位置に設置されている補強部材のみを撤去し、阻害しない位置に設置されている補強部材は撤去してもしなくても良い。なお、補強部材の一部が撤去された場合においても、フーチング型枠５ａ及び梁型枠５ｂの下部が受ける土圧は底部に設けられている火打ち部材８ｂ及び幅止め部材８ａによって支えられ、また、梁型枠５ｂの上部が受ける土圧は引張部材９によって支えられているため、これらフーチング型枠５ａ及び梁型枠５ｂが土圧によって撓むおそれがない。
【００３７】
本発明の型枠の施工方法の他の実施形態を図９のフローチャートに基づいて説明する。
【００３８】
本実施形態は、図１の実施形態における埋戻し工程Ｓ３、Ｓ１３、Ｓ２３及びＳ３３と引張工程Ｓ４、Ｓ１４、Ｓ２４及びＳ３４との実施順序をそれぞれ互いに入れ替えたものであり、各工程は、図１における各工程と同一手順を実施するものである。即ち、本実施形態においては、根切り工程、地組工程及び型枠設置工程が順次実施された後に、引張工程が実施され、その後に埋戻し工程が実施される。
【００３９】
引張工程Ｓ４、Ｓ１４、Ｓ２４及びＳ３４の各々、例えば引張工程Ｓ４においては、互いにほぼ平行に伸長して対向する梁型枠５ｂ間に引張部材９を架け渡して引っ張る。これにより、次の埋戻し工程Ｓ３によって埋め戻される掘削土６ｂによってフーチング型枠５ａ及び梁型枠５ｂが撓まぬように補強する。ここで、引張部材９は鉄棒であり、隣接する梁型枠５ｂ間に架け渡され、その途中に、引張り強さを調整できるようにターンバックル９ａが設けられている。本実施形態においては、互いに対向する梁型枠５ｂ間に、複数の引張部材９を縦横に架け渡らせている。この引張部材９の配置方法は、構造計算書に基づいて定まるものであるため、梁型枠５ｂが撓まぬように配置することができれば他の配置方法であっても良い。
【００４０】
次に埋戻し工程Ｓ３、Ｓ１３、Ｓ２３及びＳ３３がそれぞれ実施される。この埋戻し工程Ｓ３、Ｓ１３、Ｓ２３及びＳ３３の各々においては、フーチング型枠５ａ及び梁型枠５ｂの外周を掘削土で地盤面１近傍である埋戻し面７ａまで埋め戻し、転圧機を利用して締め固める。ここで使用される掘削土は、他の区画の型枠設置工程において使用される掘削土であり、この点は図１の実施形態の場合と同様であるため、説明を省略する。
【００４１】
その後、打設工程Ｓ５、Ｓ１５、Ｓ２５及びＳ３５、配筋工程Ｓ６、並びに打設工程Ｓ７が順次実施される。
【００４２】
このように、本実施形態では、埋戻し工程の前に引張工程を行っているので、埋戻しの際には、型枠５には予め掘削土が埋め戻されることによって生じる土圧に耐えうる耐力が備わっている。そのため、フーチング型枠５ａ及び梁型枠５ｂの外周を掘削土によって埋め戻されても土圧によって型枠５が撓む恐れがない。本実施形態におけるその他の作用効果は、図１の実施形態の場合と同様である。
【００４３】
次に、図１の実施形態における補強部材の設置方法の変更態様を、図１０を用いて説明する。図１０に示すように、フーチング型枠５ａ内に支持杭１３が設置されている場合には、型枠設置工程Ｓ２において、フーチング型枠５ａの内部隅部の底部に火打ち部材８ｂを設け、フーチング型枠５ａの外部隅部の上部に火打ち部材８ｃを設けて、このフーチング型枠５ａを補強するが、さらに、フーチング型枠５ａの底部において各側面から支持杭１３に向けて突張部材８ｄを設けて突っ張り、支持杭１３の中心で力の均衡が図れるように補強することが行われる。本変更態様におけるその他の構成及び作用効果は図１の実施形態の場合と同様である。
【００４４】
以上述べた実施形態は全て本発明を例示的に示すものであって限定的に示すものではなく、本発明は他の種々の変形態様及び変更態様で実施することができる。従って本発明の範囲は特許請求の範囲及びその均等範囲によってのみ規定されるものである。
【符号の説明】
【００４５】
１  地盤
２ａ、２ｂ、２ｃ、２ｄ  根切り底
３  砕石
４  コンクリート平板
５  型枠
５ａ  フーチング型枠
５ｂ  梁型枠
６ａ、６ｂ  掘削土
７ａ、７ｂ  埋戻し面
８  補強部材
８ａ、８ｅ  幅止め部材
８ｂ、８ｃ、８ｆ  火打ち部材
８ｄ  突張部材
９  引張部材
９ａ  ターンバックル
１０  捨てコンクリート
１１  鉄筋
１２  コンクリート
１３  支持杭
【図１】
2015038265.tif 000003
【図２】
2015038265.tif 000004
【図３】
2015038265.tif 000005
【図４】
2015038265.tif 000006
【図５】
2015038265.tif 000007
【図６】
2015038265.tif 000008
【図７】
2015038265.tif 000009
【図８】
2015038265.tif 000010
【図９】
2015038265.tif 000011
【図１０】
2015038265.tif 000012
【手続補正書】
【提出日】平成24年7月30日(2012.7.30)
【手続補正１】
【補正対象書類名】特許請求の範囲
【補正対象項目名】全文
【補正方法】変更
【補正の内容】
【特許請求の範囲】
【請求項１】
地盤を掘溝して根切り底を形成し、該根切り底間を渡る矩形区画の各辺の位置に根切り溝を形成し、該形成した根切り溝内に梁型枠を設置し、該設置した梁型枠の周囲を埋め戻す、基礎の施工方法であって、前記根切り底に砕石を敷き詰め転圧して基礎地盤を形成し、該基礎地盤上の型枠の設置深さの基準となる位置に平板を設置し、該平板上に前記型枠を設置し、該型枠間の前記根切り溝内に前記梁型枠を設置した後、前記梁型枠の互いに対向する辺間に引張部材を架け渡すことを特徴とする基礎の施工方法。
【請求項２】
施工区域の一区画の地盤を掘溝して根切り底を形成し、該根切り底間を渡る矩形区画の各辺の位置に根切り溝を形成し、該形成した根切り溝内に梁型枠を設置し、次いで前記施工区域の他の区画の地盤を掘溝して根切り底を形成し、該根切り底間を渡る矩形区画の各辺の位置に根切り溝を形成し、該他の区画における掘溝の際の削土を先の区画において設置した梁型枠の周囲に埋め戻し、該他の区画において形成した根切り溝内に梁型枠を設置する、基礎の施工方法であって、前記根切り底に砕石を敷き詰め転圧して基礎地盤を形成し、該基礎地盤上の型枠の設置深さの基準となる位置に平板を設置し、該平板上に前記型枠を設置し、該型枠間の前記根切り溝内に前記梁型枠を設置した後、前記梁型枠の互いに対向する辺間に引張部材を架け渡すことを特徴とする基礎の施工方法。
【請求項３】
前記引張部材を架け渡した後、該引張部材の長さ調整を行うことを特徴とする請求項１又は２に記載の基礎の施工方法。
【請求項４】
前記引張部材の架け渡しを、前記梁型枠の周囲の埋め戻しの前に行うことを特徴とする請求項１から３のいずれか１項に記載の基礎の施工方法。
【請求項５】
前記引張部材の架け渡しを、前記梁型枠の周囲の埋め戻し中又は埋め戻しの後に行うことを特徴とする請求項１から３のいずれか１項に記載の基礎の施工方法。
【請求項６】
前記設置した型枠の内部下方に補強部材を設置することを特徴とする請求項１から５のいずれか１項に記載の基礎の施工方法。
【請求項７】
前記設置した型枠の底部にコンクリートを打設し、該打設したコンクリート上に配筋を行い、該配筋した後の型枠内にコンクリートを打設することを特徴とする請求項１から６のいずれか１項に記載の基礎の施工方法。